【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
電圧が印加される画素電極及び対向電極との間に液晶が設けられ、該液晶の配向が、電圧無印加時にはほぼ垂直に、所定の電圧を印加した時にはほぼ平行となり、前記所定の電圧より小さい電圧を印加した時には斜めになり、更に、前記所定の電圧より小さい電圧が印加された時に、各画素内において、前記液晶の配向の斜めになる方向が各画素内において複数になるように規制するドメイン規制手段を備える液晶表示装置において、
画素を第１の透過率から該第１の透過率より大きい第２の透過率に変化させる場合、前記画素電極に対して、前記第２の透過率に変化させる第１の期間に前記第２の透過率に対応する目標駆動電圧より大きい電圧を印加する駆動回路を有することを特徴とする液晶表示装置。
【請求項２】
請求項１において、
前記駆動回路は、前記画素を前記第１の透過率にする場合、前記画素電極に前記第１の透過率が変化しない範囲で最大の駆動電圧を印加しておくことを特徴とする液晶表示装置。
【請求項３】
請求項１において、
前記駆動回路は、前記第１の期間後の第２の期間に、前記目標駆動電圧より大きい駆動電圧を印加することを特徴とする液晶表示装置。
【請求項４】
請求項１において、
前記駆動回路は、温度が上昇した場合に、前記第１の期間に前記画素電極に印加する駆動電圧を低減する温度補償を行うことを特徴とする液晶表示装置。
【請求項５】
電圧が印加される画素電極及び対向電極との間に液晶が設けられ、該液晶の配向が、電圧無印加時にはほぼ垂直に、所定の電圧を印加した時にはほぼ平行となり、前記所定の電圧より小さい電圧を印加した時には斜めになり、更に、前記所定の電圧より小さい電圧が印加された時に、各画素内において、前記液晶の配向の斜めになる方向が各画素内において複数になるように規制するドメイン規制手段を備える液晶表示装置の駆動方法において、
画素を第１の透過率から該第１の透過率より大きい第２の透過率に変化させる場合、前記画素電極に対して、前記第２の透過率に変化させる第１の期間に前記第２の透過率に対応する目標駆動電圧より大きい電圧を印加することを特徴とする液晶表示装置の駆動方法。
【請求項６】
請求項５において、
前記画素を前記第１の透過率にする場合、前記画素電極に前記第１の透過率が変化しない範囲で最大の駆動電圧を印加しておくことを特徴とする液晶表示装置の駆動方法。
【請求項７】
請求項５において、
更に、前記第１の期間後の第２の期間に、前記目標駆動電圧より大きい駆動電圧を印加することを特徴とする液晶表示装置の駆動方法。
【請求項８】
請求項５において、
温度が上昇した場合に、前記第１の期間に前記画素電極に印加する駆動電圧を低減する温度補償を行うことを特徴とする液晶表示装置の駆動方法。
【請求項９】
電圧が印加される画素電極及び対向電極との間に液晶が設けられ、該液晶の配向が、電圧無印加時にはほぼ垂直に、所定の電圧を印加した時にはほぼ平行となり、前記所定の電圧より小さい電圧を印加した時には斜めになる液晶表示装置において、
画素の透過率を所定の値以下にする場合、前記画素電極に前記液晶の配向の閾値電圧より大きな駆動電圧を印加する駆動回路を有することを特徴とする液晶表示装置。
【請求項１０】
請求項９において、
更に、前記液晶の光学特性と逆の光学特性を生じる光学補償手段を有することを特徴とする液晶表示装置。
【請求項１１】
請求項１０において、
前記光学補償手段は、前記画素電極に前記駆動電圧を印加した時に液晶に発生する光学特性を打ち消す光学特性を有することを特徴とする液晶表示装置。
【請求項１２】
請求項１０において、
前記光学補償手段は、直線位相子であることを特徴とする液晶表示装置。
【請求項１３】
請求項１０において、
前記光学補償手段は、前記画素電極に積層して設けられることを特徴とする液晶表示装置。
【請求項１４】
電圧が印加される画素電極及び対向電極との間に液晶が設けられ、該液晶の配向が、電圧無印加時にはほぼ垂直に、所定の電圧を印加した時にはほぼ平行となり、前記所定の電圧より小さい電圧を印加した時には斜めになる液晶表示装置の駆動方法において、
画素の透過率を所定の値以下にする場合、前記画素電極に前記液晶の配向の閾値電圧より大きな駆動電圧を印加することを特徴とする液晶表示装置の駆動方法。
【請求項１５】
電圧が印加される画素電極及び対向電極との間に液晶が設けられ、該液晶の配向が、電圧無印加時にはほぼ垂直に、所定の電圧を印加した時にはほぼ平行となり、前記所定の電圧より小さい電圧を印加した時には斜めになり、更に、前記所定の電圧より小さい電圧が印加された時に、各画素内において、前記液晶の配向の斜めになる方向が各画素内において複数になるように規制するドメイン規制手段を備える液晶表示装置において、
画素を第１の透過率から該第１の透過率より大きい第２の透過率に変化させる場合、前記第１の透過率のフレーム期間が連続した場合に、前記画素電極に対して、前記第２の透過率に変化させる第１のフレーム期間に前記第２の透過率に対応する目標駆動電圧より大きい駆動電圧を印加する駆動回路を有することを特徴とする液晶表示装置。
【請求項１６】
請求項１５において、
前記駆動回路は、前記画素を前記第１の透過率にする場合、前記画素電極に前記第１の透過率が変化しない範囲で最大の駆動電圧を印加しておくことを特徴とする液晶表示装置。
【請求項１７】
請求項１５において、
前記駆動回路は、更に、前記第１のフレーム期間後の第２のフレーム期間に、前記目標駆動電圧より大きい駆動電圧を印加することを特徴とする液晶表示装置。
【請求項１８】
請求項１５において、
前記駆動回路は、温度が上昇した場合に、前記第１のフレーム期間に前記画素電極に印加する駆動電圧を低減する温度補償を行うことを特徴とする液晶表示装置。
【請求項１９】
電圧が印加される画素電極及び対向電極との間に液晶が設けられ、該液晶の配向が、電圧無印加時にはほぼ垂直に、所定の電圧を印加した時にはほぼ平行となり、前記所定の電圧より小さい電圧を印加した時には斜めになり、更に、前記所定の電圧より小さい電圧が印加された時に、各画素内において、前記液晶の配向の斜めになる方向が各画素内において複数になるように規制するドメイン規制手段を備える液晶表示装置の駆動方法において、
画素を第１の透過率から該第１の透過率より大きい第２の透過率に変化させる場合、前記第１の透過率のフレーム期間が連続した場合に、前記画素電極に対して、前記第２の透過率に変化させる第１のフレーム期間に前記第２の透過率に対応する目標駆動電圧より大きい駆動電圧を印加することを特徴とする液晶表示装置の駆動方法。
【請求項２０】
電圧が印加される画素電極及び対向電極との間に液晶が設けられ、該液晶の配向が、電圧無印加時にはほぼ垂直に、所定の電圧を印加した時にはほぼ平行となり、前記所定の電圧より小さい電圧を印加した時には斜めになり、更に、前記所定の電圧より小さい電圧が印加された時に、各画素内において、前記液晶の配向の斜めになる方向が各画素内において複数になるように規制するドメイン規制手段を備える液晶表示装置において、
画素を第１の透過率から該第１の透過率より大きい第２の透過率に変化させる場合、前記画素を前記第１の透過率にする時に、前記画素電極に前記第１の透過率が変化しない範囲で最大の駆動電圧を印加しておく駆動回路を有することを特徴とする液晶表示装置。
【請求項２１】
電圧が印加される画素電極及び対向電極との間に液晶が設けられ、該液晶の配向が、電圧無印加時にはほぼ垂直に、所定の電圧を印加した時にはほぼ平行となり、前記所定の電圧より小さい電圧を印加した時には斜めになり、更に、前記所定の電圧より小さい電圧が印加された時に、各画素内において、前記液晶の配向の斜めになる方向が各画素内において複数になるように規制するドメイン規制手段を備える液晶表示装置の駆動方法において、
画素を第１の透過率から該第１の透過率より大きい第２の透過率に変化させる場合、前記画素を前記第１の透過率にする時に、前記画素電極に前記第１の透過率が変化しない範囲で最大の駆動電圧を印加しておくことを特徴とする液晶表示装置の駆動方法。